(57)【要約】【課題】  洗面室と浴室との間の壁枠の内側空間に洗面室側から利用可能に設置され且つ洗濯用の洗剤ボックスのように比較的奥行きの大きい物品も収納することのできる収納棚が設けられたサニタリールーム。【解決手段】  洗面化粧台（１０）が設置された洗面室（Ｒ１）と浴槽が設置された浴室とを備えたサニタリールーム。洗面室と浴室との間には、ドア障子（３）が取り付けられたドア枠（１）と、ドア枠と隣接して配置された壁枠（２）とが設けられている。壁枠の浴室側の壁面（４）と壁枠とにより画成される空間に収納棚（５）が設置されている。収納棚には、前板を前方へ引き出すことにより収納奥行きが拡大するように構成された可変トレー（６）が設けられている。【選択図】  図２
2006009512.tif 000002
【特許請求の範囲】
【請求項１】
洗面化粧台が設置された洗面室と浴槽が設置された浴室とを備えたサニタリールームにおいて、
前記洗面室と前記浴室との間には、ドア障子が取り付けられたドア枠と、該ドア枠の設置面において前記ドア枠と隣接して配置された壁枠とが設けられ、
前記壁枠の浴室側の壁面と前記壁枠とにより画成される空間に収納棚が設置され、
前記収納棚には、前板を前方へ引き出すことにより収納奥行きが拡大するように構成された可変トレーが設けられていることを特徴とするサニタリールーム。
【請求項２】
前記可変トレーは、ほぼＬ字状の断面形状を有する固定部と、ほぼＬ字状の断面形状を有する可動部とを有し、前記固定部の水平底部と前記可動部の水平底部とが水平方向に沿って相対移動可能に係合していることを特徴とする請求項１に記載のサニタリールーム。
【発明の詳細な説明】
【技術分野】
【０００１】
本発明は、サニタリールームに関し、特に洗面室において浴室に隣接して設置される収納棚の構造に関するものである。
【背景技術】
【０００２】
洗面化粧台が設置された洗面室と浴槽が設置された浴室とからなる空間は、「サニタリールーム」と呼ばれている。従来、サニタリールームの洗面室と浴室との間にドア枠と壁枠とを設け、壁枠の内側空間を収納スペースとして洗面室側や浴室側から利用することが提案されている。
【発明の開示】
【発明が解決しようとする課題】
【０００３】
しかしながら、壁枠の奥行き寸法は、収納のための奥行き寸法としては小さ過ぎる。その結果、壁枠の内側空間に洗面室側から利用するための収納棚を設置しても、洗濯用の洗剤ボックスのように比較的奥行きの大きい物品を収納することができないという不都合があった。
【０００４】
本発明は、前述の課題に鑑みてなされたものであり、洗面室と浴室との間の壁枠の内側空間に洗面室側から利用可能に設置され且つ洗濯用の洗剤ボックスのように比較的奥行きの大きい物品も収納することのできる収納棚が設けられたサニタリールームを提供することを目的とする。
【課題を解決するための手段】
【０００５】
前記課題を解決するために、本発明では、洗面化粧台が設置された洗面室と浴槽が設置された浴室とを備えたサニタリールームにおいて、
前記洗面室と前記浴室との間には、ドア障子が取り付けられたドア枠と、該ドア枠の設置面において前記ドア枠と隣接して配置された壁枠とが設けられ、
前記壁枠の浴室側の壁面と前記壁枠とにより画成される空間に収納棚が設置され、
前記収納棚には、前板を前方へ引き出すことにより収納奥行きが拡大するように構成された可変トレーが設けられていることを特徴とするサニタリールームを提供する。
【０００６】
本発明の好ましい態様によれば、前記可変トレーは、ほぼＬ字状の断面形状を有する固定部と、ほぼＬ字状の断面形状を有する可動部とを有し、前記固定部の水平底部と前記可動部の水平底部とが水平方向に沿って相対移動可能に係合している。
【発明の効果】
【０００７】
本発明では、洗面化粧台が設置された洗面室と浴槽が設置された浴室との間に、ドア障子が取り付けられたドア枠と、ドア枠と隣接して配置された壁枠とが設けられている。そして、壁枠の浴室側の壁面と壁枠とにより画成される空間、すなわち壁枠の内側空間に、収納棚が設置されている。
【０００８】
さらに、前板を前方へ引き出すことにより収納奥行きが拡大するように構成された可変トレーが収納棚に設けられている。その結果、本発明のサニタリールームに設けられた収納棚は、洗面室と浴室との間の壁枠の内側空間に洗面室側から利用可能に設置され、且つ洗濯用の洗剤ボックスのように比較的奥行きの大きい物品も収納することができる。
【０００９】
なお、本発明では、可変トレーが、ほぼＬ字状の断面形状を有する固定部と、ほぼＬ字状の断面形状を有する可動部とを有し、固定部の水平底部と可動部の水平底部とが水平方向に沿って相対移動可能に係合していることが好ましい。この場合、比較的簡素な構成にしたがって、前板を前方へ引き出すことにより収納奥行きが拡大する可変トレーを実現することができる。
【発明を実施するための最良の形態】
【００１０】
本発明の実施形態を、添付図面に基づいて説明する。
図１は、本発明の実施形態にかかるサニタリールームの要部構成を概略的に示す図である。また、図２は、図１のサニタリールームにおいて壁枠の内側空間に収納棚を設置する様子を概略的に示す図である。
【００１１】
図１および図２を参照すると、本実施形態のサニタリールームは、洗面化粧台１が設置された洗面室Ｒ１と浴槽が設置された浴室（不図示）とにより構成されている。洗面室Ｒ１と浴室との間には、ドア枠１と、ドア枠１の設置面においてドア枠１と隣接して配置された壁枠２とが設けられている。ここで、ドア枠１と壁枠２とは、ほぼ同じ奥行き寸法を有する。
【００１２】
なお、ドア枠１には、たとえば片開きの浴室ドアとしてのドア障子３が取り付けられている。一方、壁枠２の浴室側には、壁４（図２を参照）が設けられている。本実施形態では、壁枠２の浴室側の壁面４と壁枠２とにより画成される空間、すなわち壁枠２の内側空間に、収納棚５が設置されている。収納棚５には、複数の可変トレー６が設けられている。可変トレー６の構成については後述する。
【００１３】
また、洗面室Ｒ１において、浴室ドア３に対向する位置には洗面化粧台１０が壁面に沿って設置されている。洗面化粧台１０は、洗面ボール１１ａおよびその両側に配置されたカウンター１１ｂ，１１ｃを有するカウンターユニット１１と、洗面ボール１１ａの上方に設けられた洗面ミラー１２と、洗面ミラー１２の上端近傍の高さ位置に設けられた照明部１３とを備えている。
【００１４】
図３は、収納棚に設けられた可変トレーの構成を概略的に示す断面図である。また、図４は、可変トレーに比較的奥行きの大きい物品を収納する様子を概略的に示す図である。図３を参照すると、可変トレー６は、ほぼＬ字状の断面形状を有する固定部６ａと、ほぼＬ字状の断面形状を有する可動部６ｂとを有する。
【００１５】
そして、固定部６ａの水平底部６ａａと可動部６ｂの水平底部６ｂａとが、水平方向に沿って相対移動可能に係合している。こうして、可変トレー６は、その前板６ｃ（可動部６ｂの前方パネルを構成する部分）を前方へ引き出すことにより収納奥行きが拡大するように構成されている。
【００１６】
可変トレー６では、図４（ａ）に示すように、前板６ｃを前方へ引き出さない通常状態で、たとえばシャンプーディスペンサー２１のように比較的奥行きの小さい物品を収納することができる。ただし、たとえば洗濯用の洗剤ボックス２２のように比較的奥行きの大きい物品を収納することができない。本実施形態では、図４（ｂ）に示すように、可変トレー６の前板６ｃを前方へ引き出すことにより、可変トレー６の収納奥行きが拡大するので、洗濯用の洗剤ボックス２２も収納可能になる。
【００１７】
以上のように、本実施形態では、壁枠２の内側空間に設けられた収納棚５に、前板６ｃを前方へ引き出すことにより収納奥行きが拡大するように構成された可変トレー６が設けられている。その結果、本実施形態のサニタリールームに設けられた収納棚５は、洗面室Ｒ１と浴室との間の壁枠２の内側空間に洗面室側から利用可能に設置され、且つ洗濯用の洗剤ボックス２２のように比較的奥行きの大きい物品も収納することができる。
【００１８】
なお、上述の実施形態では、可変トレー６がほぼＬ字状の断面形状を有する固定部６ａとほぼＬ字状の断面形状を有する可動部６ｂとを有し、固定部６ａの水平底部６ａａと可動部６ｂの水平底部６ｂａとが水平方向に沿って相対移動可能に係合している。しかしながら、この構成に限定されることなく、前板を前方へ引き出すことにより収納奥行きが拡大する可変トレーの具体的な構成について本発明の範囲内において様々な変形例が可能である。
【図面の簡単な説明】
【００１９】
【図１】本発明の実施形態にかかるサニタリールームの要部構成を概略的に示す図である。
【図２】図１のサニタリールームにおいて壁枠の内側空間に収納棚を設置する様子を概略的に示す図である。
【図３】収納棚に設けられた可変トレーの構成を概略的に示す断面図である。
【図４】可変トレーに比較的奥行きの大きい物品を収納する様子を概略的に示す図である。
【符号の説明】
【００２０】
Ｒ１  洗面室
１  ドア枠
２  壁枠
３  浴室ドア
４  壁面
５  収納棚
６  可変トレー
６ａ  可変トレーの固定部
６ｂ  可変トレーの可動部
１０  洗面化粧台
１１  カウンターユニット
１１ａ  洗面ボール
１１ｂ，１１ｃ  カウンター
１２  洗面ミラー
１３  照明部
【図１】
2006009512.tif 000003
【図２】
2006009512.tif 000004
【図３】
2006009512.tif 000005
【図４】
2006009512.tif 000006